(57)【要約】【課題】ドアの既存部品の変更や交換を必要とすることないと共に、電力を不要としてドア開放の補助を行う。【解決手段】ドア２に取り付けられるドア側ユニット５と、ドア２を開閉自在に支持する壁に取り付けられる壁側ユニット４とからなる。ドア側ユニット５は、閉じ状態のドア２を開放方向に付勢すると共にドア２の開き作動に伴って開放方向へのトルクを蓄え、ドア２が完全に閉じた作動に遅れて開放方向への付勢状態に復帰する。壁側ユニット４は、ドア２の開き作動に伴ってドア側ユニット５に係合し、この係合によってドア側ユニット５を開放方向へのトルク蓄え状態に移行させる。【選択図】　　　　　図１
2004124651.tif 000002
【特許請求の範囲】
【請求項１】
ドアに取り付けられるドア側ユニットと、ドアを開閉自在に支持する壁に取り付けられる壁側ユニットとを備えており、
前記ドア側ユニットは、閉じ状態のドアを開放方向に付勢すると共にドアの開き作動に伴って開放方向へのトルクを蓄え、ドアが完全に閉じた作動に遅れて前記開放方向への付勢状態に復帰し、
前記壁側ユニットは、ドアの開き作動に伴ってドア側ユニットに係合し、この係合によってドア側ユニットを前記開放方向へのトルク蓄え状態に移行させることを特徴とするドア開放補助装置。
【請求項２】
ドアに取り付けられるドア側ユニットと、ドアを開閉自在に支持する壁に取り付けられる壁側ユニットとからなり、
前記ドア側ユニットは、ドアの開放方向へのトルクを蓄える付勢ばねと、付勢ばねにより回転付勢されて閉じ状態のドアを開放方向に付勢すると共にドアの開き作動に伴って付勢ばねがトルクを蓄える方向に回転する回転部材と、付勢ばねの付勢力に抗して回転部材の回転をロックするロック機構と、ドアの閉じ作動に連動してロック機構のロックを解除して回転部材をドアの開放方向への付勢状態に復帰させるロック解除部材と、この回転部材の復帰がドアが完全に閉じた作動に遅れてなされるように緩動させる緩動機構とを備え、
前記壁側ユニットは、ドアの閉じ方向に変位自由である一方、ドアの開き方向への変位が所定の大きさの力によって拘束されており、ドアの開き作動に伴って前記回転部材に係合し、この係合により前記付勢ばねがトルクを蓄える方向に回転部材を回転させる作用機構を備えていることを特徴とするドア開放補助装置。
【請求項３】
前記ドア側ユニットは、回転部材及びロック解除部材を支持する軸状の支持部材を有し、この支持部材の外周に前記付勢ばね及びロック機構が同心円状に配置されていることを特徴とする請求項２記載のドア開閉補助装置。
【請求項４】
前記作用機構は、ドアの閉じ方向に回転自由な状態で前記回転部材に係合する回転駒と、ドアの開き方向への回転駒の回転を所定のばね力の範囲内で拘束する拘束ばねとを有していることを特徴とする請求項２記載のドア開閉補助装置。
【請求項５】
前記ドア側ユニット及び壁側ユニットは、ドアのノブ側であって、且つノブの上方に配置されていることを特徴とする請求項１〜４のいずれかに記載のドア開放補助装置。
【発明の詳細な説明】
【０００１】
【発明の属する技術分野】
本発明は、ドアを開く操作力を補助してドア開放を行い易くするドア開放補助装置に関する。
【０００２】
【従来の技術】
マンションやビル等の密閉性の高い建造物では、ドアを開け閉めする際に大きな力が必要であるため、子供や高齢者に大きな負担となっている。このため、ドアを開く際の補助を行うドア開放補助装置が使用されている。
【０００３】
従来のドア開放補助装置は、ドアを開く際の補助を行う倍力機構をドアまたはドアを支持する壁に取り付け、ドアを開放するためのノブまたはレバー（以下、ノブ）を回動操作することにより、倍力機構を作用させてドア開放時の力を軽減させる構造となっている。倍力機構としては、カムフォロア及びカムからなり、ノブへの回動操作に伴ってカムフォロアをカムの傾斜カム面に摺動させる構造或いは押し開きレバーにトグル機構を連結し、ノブへの回動操作に追随したカムの回転によってトグル機構を押し延ばし、これによって押し開きレバーが壁を押圧する構造のいずれかが使用されている。また、以上の他に、電動モータをノブとは別個に壁に取り付けると共に電動モータをリード線を介してスイッチ及び電源と接続し、スイッチをＯＮすることにより電動モータが押し開きレバーを押し出してドアを押圧する構造も用いられている（例えば、特許文献１参照）。
【０００４】
【特許文献１】
特許第３０８４２６９号公報（第４〜５ページ、第８図〜第１１図）
【０００５】
【発明が解決しようとする課題】
しかしながら、倍力機構を用いた従来の構造では、倍力機構を作用させるため、ノブを倍力機構と連結可能な構造とする必要がある。このため、ドアの開放補助を行うための専用のノブを取り付ける必要があり、ドアに取り付けられている既存のノブをそのまま用いることができず、ノブを交換しなければならない不便さがある。また、ノブの交換の際には、ノブと倍力機構とを連結する必要があり、その組み付け作業が面倒ともなっている。
【０００６】
一方、電動モータを用いた従来の構造では、電動モータに対する配線が必要であり、配線作業が煩わしい問題を有している。また、電動モータを駆動するための電力が必要なため、使用に際して電力料金が嵩む問題も有している。
【０００７】
本発明は、このような従来の問題点を考慮してなされたものであり、ドアに装着されているノブ等の既存部品の交換が不要で、組み付けが簡単であり、しかも電動モータを用いることなく、その配線作業や電力料金を不要としたドア開放補助装置を提供することを目的とする。
【０００８】
【課題を解決するための手段】
上記目的を達成するため、請求項１の発明のドア開放補助装置は、ドアに取り付けられるドア側ユニットと、ドアを開閉自在に支持する壁に取り付けられる壁側ユニットとを備えており、前記ドア側ユニットは、閉じ状態のドアを開放方向に付勢すると共にドアの開き作動に伴って開放方向へのトルクを蓄え、ドアが完全に閉じた作動に遅れて前記開放方向への付勢状態に復帰し、前記壁側ユニットは、ドアの開き作動に伴ってドア側ユニットに係合し、この係合によってドア側ユニットを前記開放方向へのトルク蓄え状態に移行させることを特徴とする。
【０００９】
この発明では、ドア側ユニットが閉じ状態のドアを開放方向に付勢してドアの開放補助を行う。壁側ユニットはドア側ユニットがドアの開放方向へのトルクを蓄えるように作用するため、ドアの開放補助作動を繰り返すことができ、電力を不要とした作動が可能となる。
【００１０】
また、ドア側ユニットと壁側ユニットとの２つのユニットからなり、２つのユニットによってドアの開放補助を行うため、ドアに装着されている既存部品の変更や交換を要することがない。このため、組み付けが容易となる。
【００１１】
請求項２の発明のドア開放補助装置は、ドアに取り付けられるドア側ユニットと、ドアを開閉自在に支持する壁に取り付けられる壁側ユニットとからなり、前記ドア側ユニットは、ドアの開放方向へのトルクを蓄える付勢ばねと、付勢ばねにより回転付勢されて閉じ状態のドアを開放方向に付勢すると共にドアの開き作動に伴って付勢ばねがトルクを蓄える方向に回転する回転部材と、付勢ばねの付勢力に抗して回転部材の回転をロックするロック機構と、ドアの閉じ作動に連動してロック機構のロックを解除して回転部材をドアの開放方向への付勢状態に復帰させるロック解除部材と、この回転部材の復帰がドアが完全に閉じた作動に遅れてなされるように緩動させる緩動機構とを備え、前記壁側ユニットは、ドアの閉じ方向に変位自由である一方、ドアの開き方向への変位が所定の大きさの力によって拘束されており、ドアの開き作動に伴って前記回転部材に係合し、この係合により前記付勢ばねがトルクを蓄える方向に回転部材を回転させる作用機構を備えていることを特徴とする。
【００１２】
この発明におけるドア側ユニットの回転部材は、付勢ばねによって付勢されることにより閉じ状態のドアを開放方向に付勢するため、ドアが開放される際の力を軽減させることができ、ドアを簡単に開くことが可能となる。また、回転部材は作用機構が係合することにより回転し、この回転によってドアを開放方向に付勢するためのトルクが付勢ばねに蓄えられる。このトルクはロック機構が回転部材の回転をロックしているため、放出されることなく保持されると共に、ドアの閉じ作動では、ロック解除部材がロック機構のロックを解除するため、回転部材がドアを開放方向に付勢する。
【００１３】
このような構成では、ドアの開閉の度にドアを開放方向に付勢するトルクを蓄えるため、ドアの開放補助作動を繰り返して行うことができる。また、ドアの開閉作動によってトルクを蓄えることができるため、電動モータが不要となり、電動モータ駆動のための配線が不要となるばかりでなく、電力料金が不要となる。
【００１４】
さらに、緩動機構はドアが完全に閉じた後に、回転部材がドアを付勢するように復帰させるため、ドアの施錠が不完全となることがなく、安全に使用することができる。
【００１５】
さらに、また、この発明においても、ドアの開放補助をドア側ユニットと壁側ユニットとの２つのユニットによって行うため、ドアに装着されている既存部品の変更や交換を要することがなく、組み付けが容易となる。
【００１６】
請求項３の発明は、請求項２記載のドア開閉補助装置であって、前記ドア側ユニットは、回転部材及びロック解除部材を支持する軸状の支持部材を有し、この支持部材の外周に前記付勢ばね及びロック機構が同心円状に配置されていることを特徴とする。
【００１７】
この発明では、軸状の支持部材の回りに付勢ばね及びロック機構を同心円状に配置するため、コンパクトな構造とすることができる。
【００１８】
請求項４の発明は、請求項２記載のドア開閉補助装置であって、前記作用機構は、ドアの閉じ方向に回転自由な状態で前記回転部材に係合する回転駒と、ドアの開き方向への回転駒の回転を所定のばね力の範囲内で拘束する拘束ばねとを有していることを特徴とする。
【００１９】
作用機構をこのような構造とすることにより、回転駒がドアの閉じ作動の邪魔となることがなくなる。また、回転駒がドア側ユニットの回転部材に係合した状態に対し、拘束ばねがドアの開き方向への回転駒の回転を拘束するため、ドアの開き作動に伴ってドア側ユニットの回転部材がトルク蓄え方向に強制的に回転する。従って、ドアの開き作動に伴う付勢ばねのトルク蓄積を確実に行うことができる。これに加えて、拘束ばねのばね力以上の力が作用した場合には、ドアの開き方向に回転駒が回転するため、ドアを円滑に開くことができる。
【００２０】
請求項５の発明は、請求項１〜４のいずれかに記載のドア開放補助装置であって、前記ドア側ユニット及び壁側ユニットは、ドアのノブ側であって、且つノブの上方に配置されていることを特徴とする。
【００２１】
このようにドア側ユニット及び壁側ユニットをドアのノブ側に配置することにより、ドア側ユニットがドアの回転中心から離れるため、開放方向への付勢力をドアに対して有効に作用させることができる。また、ドア側ユニット及び壁側ユニットをノブの上方に配置することにより、出入りの邪魔になることがなくなる。
【００２２】
【発明の実施の形態】
図１〜図１８は、本発明の一実施の形態のドア開放補助装置を示し、図１は室内側からの正面図、図２は側面図、図３は平面図、図４は壁側ユニットを示す図２のＡ−Ａ線断面図、図５、図６、図７は図４のＢ−Ｂ線、Ｃ−Ｃ線、Ｄ−Ｄ線における各断面図、図８及び図９はドア側ユニットを示す図１のＥ−Ｅ矢視及びＦ−Ｆ矢視の各平面図、図１０は図８のＧ−Ｇ線断面図、図１１〜図１８は作動を示し、各図における（ａ）は図９に対応する平面図、（ｂ）は図２に対応する側面図である。
【００２３】
図１〜図３に示すように、この実施の形態のドア開放補助装置１は、ドア２を開閉自在に支持する壁３に固定される壁側ユニット４及びドア２に固定されるドア側ユニット５の２つのユニットによって構成されている。ドア２は図１及び図３に示すように、ヒンジ６を介して壁３に正逆回転可能に支持されており、その正逆回転によってドア２が開閉作動する。
【００２４】
ドア２は図２に示すように、室内７側及び室外８側にそれぞれノブ９が取り付けられており、ノブ９を一方向に回転操作することによりラッチ（図示省略）が壁３側から抜け出て開放可能となる。また、ドア２は、ドアクローザ（図示省略）によって閉じ方向に付勢されており、ドア２を開放する際には、ドアクローザの付勢力に抗してドア２を回転操作する。
【００２５】
この実施の形態のドア開放補助装置１は、室内７側に設けられるものである。また、壁側ユニット４及びドア側ユニット５は、ドア２におけるノブ９側であって、且つドア２の上方に配置される。このようにドア２のノブ９側に配置することにより、ドア側ユニット５がドア２の回転中心（ヒンジ６）から離れるため、後述する開放方向への付勢力をドア２に対して有効に作用させることができる。また、壁側ユニット４及びドア側ユニット５をノブ９の上方に配置することにより、出入りの邪魔になることがなくなるメリットがある。
【００２６】
壁側ユニット４は、図４〜図７に示すように、壁３にボルト等によって固定される取付プレート１１と、取付プレート１１上に固定されたブラケット１２と、ブラケット１２に取り付けられたシャフト１３と、シャフト１３に取り付けられたカム駒１４、回転駒１５及び拘束ばね１６とを備えている。
【００２７】
ブラケット１２は両端に起立片１２ａ、１２ａを有するコ字形に成形されており、その開放端が上方を向くように取付プレート１１に固定される。シャフト１３は横長となっており、ブラケット１２の一対の起立片１２ａ、１２ａに掛け渡されることによりブラケット１２に固定されている。図４に示すように、シャフト１３は右側の略半分がブラケット１２に掛け渡される一方、左側の略半分はブラケット１２の外側に抜け出ている。
【００２８】
拘束ばね１６は捩りばねからなり、シャフト１３の右側部分に外挿されている。なお、拘束ばね１６とシャフト１３との間には、筒状のスペーサ１７が挿入されるものである。拘束ばね１６はシャフト１３の右側部分に外挿されることにより、ブラケット１２の一対の起立片１２ａ、１２ａの間に挟まれた状態となっており、その一端のフック部１６ａが一方の起立片１２ａを貫通することによりブラケット１２に係止されている。
【００２９】
カム駒１４及び回転駒１５は、同軸状となるようにシャフト１３の左側部分に外挿されている。この場合、回転駒１５が外側に位置しており、カム駒１４は回転駒１５とブラケット１２に挟まれた状態となっている。これらのカム駒１４及び回転駒１５は、シャフト１３の全体を包む筒状部１４ａ、１５ａ（図５及び図７参照）と、シャフト１３を部分的に包んだ状態で相互に対向する半筒部１４ｂ、１５ｂとを一体的に有している（図６参照）。
【００３０】
カム駒１４の筒状部１４ａには、拘束ばね１６の他端のフック部１６ｂが係止されており、これによりカム駒１４は拘束ばね１６によって回転付勢されている。この場合、拘束ばね１６は左巻きとなっており、カム駒１４は反時計方向に回転するトルクが拘束ばね１６により付与されている。
【００３１】
また、カム駒１４の筒状部１４ａの外周側には、図７に示すようにストッパ部１４ｃが形成されており、このストッパ部１４ｃが取付プレート１１に当接することにより反時計方向への回転が拘束されている。従って、カム駒１４は拘束ばね１６が付与しているトルク以上の力が作用したときに拘束ばね１６のばね力に抗して時計方向に回転する。
【００３２】
回転駒１５の半筒部１５ｂ及びカム駒１４の半筒部１４ｂは、図６に示すように径方向の一端側が相互に当接する一方、径方向の他端側には、隙間１８がこれらの半筒部１５ｂ、１４ｂの間に形成されている。従って、回転駒１５は隙間１８を埋める方向である反時計方向には回転自由となっていると共に、その反対の時計方向には拘束ばね１６のばね力以上の力が作用したときに回転するようになっている。後述するように、回転駒１５における反時計方向の回転はドア２の閉じ方向に対応し、時計方向の回転はドア２の開き方向の回転に対応していることから、回転駒１５はドア２の閉じ方向に回転自由となっている一方、ドア２の開き方向へは回転が拘束されており、拘束ばね１６のばね力以上の力が作用したときに初めて開き方向への回転が行われる。
【００３３】
回転駒１５の筒状部１５ａには、図５に示すように取付プレート１１の下方に突出する小円状の作用片１５ｃが形成されており、ドア２の開閉時にドア側ユニット５のピン３５が係合するようになっている。
【００３４】
また、取付プレート１１の一端側にはドア側ユニット５の方向に屈曲された受片１９が形成されている。受片１９は、図１に示すように壁３からドア２方向に延びることにより、後述するようにドア側ユニット５のロック解除部材２８及び回転部材２５が当接する。
【００３５】
以上の壁側ユニット４において、拘束ばね１６、カム駒１４及び回転駒１５はドア２の開き作動に伴ってドア側ユニット５の回転部材２５を回転させて同ユニット５の付勢ばねにトルクを蓄える作用機構を構成している。
【００３６】
ドア側ユニット５は、図８〜図１０に示すように複数のボルト２２によってドア２の室内側の面に固定される取付ベース２１と、取付ベース２１の上下面を覆う上カバー２３及び下カバー２４とを備えていると共に、これらが形成する空間内に回転部材２５、付勢ばね２６、ロック機構２７、ロック解除部材２８、緩動機構２９及び支持部材３０が配置されることにより構成されている。
【００３７】
支持部材３０は軸方向の両端部が上カバー２３及び下カバー２４に挿入されることにより、これらの間に固定状態で保持される固定芯金３１と、固定芯金３１の外側に回転可能に取り付けられた可動芯金３２とを有しており、固定芯金３１及び可動芯金３２を合わせた全体が軸状となっている（図１０参照）。
【００３８】
固定芯金３１は軸方向の両端部に平行カットされた略小判形状部が形成されており、この両端部が同じ形状に成形された上カバー２３及び下カバー２４の嵌合孔に嵌合する。この嵌合により回転が拘束された状態となっている。また、固定芯金３１には大径のばね密着部３１ａが形成されている。可動芯金３２はこのばね密着部３１ａと同じ外径を有した円筒形状となっており、固定芯金３１が挿入されることにより固定芯金３１回りに回転可能となっている。
【００３９】
これらの固定芯金３１及び可動芯金３２には、クラッチばね３３が取り付けられることにより、固定芯金３１、可動芯金３２及びクラッチばね３３によってロック機構２７が構成されている。
【００４０】
クラッチばね３３は捩りばねからなり、そのコイル部が固定芯金３１のばね密着部３１ａ及び可動芯金３２に密着している。この場合、可動芯金３２に密着する巻き数よりも固定芯金３１のばね密着部３１ａに密着する巻き数が多くなっており、可動芯金３２はクラッチばね３３によって回転が拘束された状態となっている。クラッチばね３３は、一端が自由端となっているが、他端が支持部材３０の径方向に延びるように屈曲することによりフック部３３ａとなっている。このフック部３３ａには、後述するロック解除部材２８が当接して係合する。
【００４１】
以上の支持部材３０の長さ方向の略半分は、下カバー２４に固定された支持ケース３４内に挿入されることにより外周部分が支持されており、この支持ケース３４の外側に、付勢ばね２６が取り付けられている。
【００４２】
付勢ばね２６は捩りばねからなり、ドア２の開放方向へのトルクを蓄えるようになっている。この付勢ばね２６は、一端のフック部２６ａが下カバー２４を貫通することにより下カバー２４に係止されている。一方、付勢ばね２６の他端のフック部２６ｂは、径方向に引き出されており、このフック部２６ｂが回転部材２５のピン３５に係止されている。
【００４３】
回転部材２５は、支持部材３０の可動芯金３２に取り付けられることにより、可動芯金３２と係合した状態となっている。この回転部材２５は、平面矩形状の押圧片２５ａと、押圧片２５ａの反対側に延びた扇形状の連結片２５ｂとが一体的に形成されることにより構成されている。
【００４４】
回転部材２５の押圧片２５ａの先端部には、上カバー２３方向に屈曲された押圧部２５ｃが形成されている。押圧部２５ｃは上カバー２３に形成された逃げ孔２３ａ（図８参照）から上カバー２３の外側に抜き出ており、これにより上述した壁側ユニット４の受片１９に当接可能となっている。
【００４５】
回転部材２５の連結片２５ｂは、緩動機構２９方向に延びており、先端の外周端面には、ギヤ部２５ｄが形成されて緩動機構２９に回転力を伝達するようになっている。この連結片２５ｂからは、上述したピン３５が上カバー２３方向に突出している。ピン３５には、付勢ばね２６の他端側のフック部２６ｂが係止されており、これにより、付勢ばね２６は、ドア２の開放方向に回転するように回転部材２５を付勢していると共に、回転部材２５が反時計方向に回転したときには、巻き締まってトルクを蓄えるようになっている。この場合、上カバー２３にはピン３５が貫通する長孔２３ｃが形成されており、これによりピン３５は長孔２３ｃの長さ範囲内を移動するため、回転部材２５の回転範囲は長孔２３ｃの長さ範囲となっている。
【００４６】
ロック解除部材２８は、回転部材２５と同様に、支持部材３０の可動芯金３２に取り付けられることにより可動芯金３２と係合した状態となっている。このロック解除部材２８は、円を略１／４に切り出した円弧形状に成形されており、その一側の端部には、上カバー２３方向に屈曲された当接片２８ａが形成されている。当接片２８ａは上カバー２３に形成された逃げ孔２３ｂ（図８参照）から上カバー２３の外側に抜き出ており、壁側ユニット４の受片１９に当接可能となっている。一方、当接片２８ａと反対側の端部は、クラッチばね３３のフック部３３ａに当接可能な解除部２８ｂとなっている。この解除部２８ｂの当接状態でロック解除部材２８が反時計方向に回転すると、クラッチばね３３が巻き戻されてコイル部が弛むため、固定芯金３１及び可動芯金３２への密着力がなくなり、クラッチばね３３のロックが解除される。
【００４７】
以上の構造においては、回転部材２５及びロック解除部材２８が可動芯金３２に取り付けられ、クラッチばね３３及び付勢ばね２６が可動芯金３２を備えた支持部材３０の外側に同心円状に配置される。このようにクラッチばね３３及び付勢ばね２６が支持部材３０の回りに同心円状に配置されることにより、コンパクトな構造とすることができ、小型化が可能となる。
【００４８】
緩動機構２９は、回転部材２５の連結片２５ｂ側に配置されている。この緩動機構２９は、上下端部が上カバー２３及び下カバー２４に支持されて固定された固定軸３６と、固定軸３６が挿入された状態で固定軸３６周囲を回転する回転ケース３７と、固定軸３６及び回転ケース３７の間に充填されたグリス３８とを有している。なお、固定軸３６は下カバー２４側の端部が固定芯金３１と同様な小判形状等の非円形に形成されて下カバー２４と嵌合することにより、回転が固定されるものである。回転ケース３７の外周面には、連結片２５ｂのギヤ部２５ｄと噛み合うギヤ部３７ａが形成されており、これにより回転部材２５の回転が回転ケース３７に伝達されるようになっている。かかる回転ケース３７の回転は、固定軸３６の間に充填したグリス３８の剪断力に抗して行われるため、緩速度でなされるようになっている。
【００４９】
次に、以上の実施の形態の作動を図１１〜図１８を参照して説明する。これらの図において、時計方向はドア２が開く方向であり、反時計方向はドア２が閉じる方向となっている。また、ドア２はヒンジ６を中心にした回転運動を行うが、理解を容易にするため、これらの図においては、ドア２の作動を直線的に示すものである。
【００５０】
作動前の初期状態においては、ドア側ユニット５の回転部材２５は付勢ばね２６のフック部２６ｂがピン３５に係止していることにより、ドア２を開放する方向へ回転付勢している。一方、ロック機構２７のクラッチばね３３の締め付けトルクは、付勢ばね２６の巻き締め時のトルクよりも大きくなるように設定されている。従って、付勢ばね２６がピン３５を介して回転部材２５を回転付勢していても、クラッチばね３３が巻き戻されない限り、回転部材２５は回転することがない。
【００５１】
図１１は、ドア２が完全に閉じた状態であり、ロック解除部材２８の当接片２８ａが壁側ユニット４の受片１９に当接して反時計方向に回転することにより、同部材２８の解除部２８ｂがクラッチばね３３のフック部３３ａに当接してクラッチばね３３を巻き戻した状態としている。このため、フック部２６ｂがピン３５に係止した付勢ばね２６のトルクにより、回転部材２５は時計方向に回転付勢され、その押圧部２５ｃが壁側ユニット４の受片１９を押圧する。この押圧の反力により、ドア側ユニット５はドア２を開放方向に付勢した状態となっている。しかしながら、施錠されているため、ドア２は開くことがない。
【００５２】
図１２は、ノブ９を操作して施錠を解除した状態を示す。ドア２は回転部材２５によって開放方向に付勢されているため、付勢ばね２６のトルクにより、一定の位置にまで自動的に開放される。このため、開放初期であっても、小さな力でドア２を開けることができ、ドア２の開放が容易となる。このドア２の自動開放により、室内の密閉性がなくなるため、その後は、手による円滑なドア２の開放を行うことができる。
【００５３】
図１３及び図１４は、ノブ９を用いてドア２を開放する状態を段階的に示している。ドア２が開放されることにより、ロック解除部材２８の当接片２８ａが受片１９との当接状態から離れるため、クラッチばね３３が巻き締め状態となって可動芯金３２の回転がロックされる。従って、可動芯金３２に取り付けられている回転部材２５も回転がロックされ、ピン３５は定位置で停止した状態となる。
【００５４】
図１３は、停止状態のピン３５がドア２の開放によって、壁側ユニット４の作用片１５ｃに当接した状態であり、作用片１５ｃへの当接によりピン３５は長孔２３ｃ内を反時計方向に移動する。これは、作用片１５ｃを有した回転駒１５が、拘束ばね１６によってドア２の開放方向（時計方向）の回転が拘束されているためである。ピン３５の移動によって、ピン３５を有した回転部材２５が反時計方向に回転するため、押圧部２５ｃは受片１９から離れる。また、ピン３５の反時計方向の移動により、付勢ばね２６が巻き締められてドア２の開放方向へのトルクが蓄えることができる。
【００５５】
図１４は、さらにドア２が開放された状態であり、ピン３５が長孔２３ｃの一側の端部に当接する。この当接により、ピン３５は上カバー２３と一体となって剛体状態となるため、ピン３５は作用片１５ｃを時計方向に移動させるため、回転駒１５は拘束ばね１６のばね力に抗して時計方向に回転する。従って、ピン３５は作用片１５ｃを通り抜けるため、ドア２を開放させる際の邪魔となることがない。また、ピン３５が長孔２３ｃの一側の端部に当接することにより、回転部材２５の回転が停止すると共に、付勢ばね２６へのトルクの蓄積が停止する。これにより、付勢ばね２６が必要以上に巻き締められることがない。
【００５６】
図１５は、ドア２が完全に解放された状態を示す。上述したように、ドア２の開き作動に伴って付勢ばね２６にトルクが蓄えられるため、回転部材２５が回転付勢されている。これに対し、ロック機構２７のクラッチばね３３が巻き付いている可動芯金３２においては、反時計方向はクラッチばね３３が巻き戻る方向のため、自由に回転するが、時計方向はクラッチばね３３によって回転がロックされている。このため、可動芯金３２に取り付けられている回転部材２５は回転することがない。これにより、付勢ばね２６に蓄えられたトルクは放出されることなく保持される。
【００５７】
図１６は、開放状態からドア２を閉じる作動を示し、ドアクローザの付勢力によりドア２が閉じ方向に回転し、これによりピン３５が壁側ユニット４の作用片１５ｃに当接する。この場合において、ピン３５を有する回転部材２５が可動芯金３２に取り付けられており、可動芯金３２はクラッチばね３３によって回転が拘束されているため、回転部材２５は回転することがない。従って、ピン３５は、作用片１５ｃを反時計方向に押圧する。作用片１５ｃを有する回転駒１５は、カム駒１４との間に隙間１８を有しているため、隙間１８が消失するまで反時計方向に自由に回転することができる。これにより、ピン３５は作用片１５ｃを通り抜けることができ、ドア２を円滑に閉じることができる。
【００５８】
図１７は、ドア２が閉じる寸前の状態を示し、ロック解除部材２８の当接片２８ａが壁側ユニット４の受片１９に当接し、これによりロック解除部材２８が反時計方向に回転する。この回転によりロック解除部材２８の解除部２８ｂがクラッチばね３３のフック部３３ａに当接し、クラッチばね３３を巻き戻してロックを解除する。
【００５９】
図１８は、ドア２が完全に閉じた状態を示す。この状態では、クラッチばね３３のロックが解除されているため、ドア２の閉じ作動の連動して付勢ばね２６のばね力により時計方向、すなわちドア２の開放方向に回転復帰する。このとき、回転部材２５の連結片２５ｂが緩動機構２９に噛み合っているため、回転部材２５は緩速度で回転する。このため、回転部材２５の回転復帰は、ドア２を完全に閉じた作動に遅れて、すなわち時間差を有して行われる。従って、ドア２の施錠が不完全となることがなく、安全な閉じ状態となる。なお、回転部材２５が回転復帰した後においては、図１１の状態となり、閉じ状態のドア２を開放方向に付勢する。
【００６０】
このような実施の形態では、ドア２の開閉の度に、付勢ばね２６がドア開放方向へのトルクを蓄えるため、ドア開放の補助を繰り返して行うことができる。また、この実施の形態では、壁側ユニット４とドア側ユニット５との２つのユニットによってドアの開放補助を行うため、ノブ９等のドアに装着されている既存部品の変更や交換が不要となり、組み付けを簡単に行うことができる。さらに、ドア開放の補助のための電動モータが不要となるため、そのための配線が必要がないばかりでなく、電力が不要なため、安価に作動させることができる。
【００６１】
図１９〜図２０は、本発明の別の実施の形態を示す。この実施の形態では、壁側ユニット４を変更するものであり、壁３に取り付けられる取付プレート１１に支持ブラケット４１がねじ止めされている。支持ブラケット４１には支持シャフト４２が突出しており、この支持シャフト４２に作用機構としての板ばね４３が取り付けられている。
【００６２】
板ばね４３は、支持シャフト４２に巻き付けられた状態でドア側ユニット５に向かって垂下している。また、支持ブラケット４１には規制ピン４４が取り付けられている。規制ピン４４は、板ばね４３に対し、ドア２の開放方向側に位置するように取り付けられており、これにより板ばね４３はドア２の開き方向への変位がある程度拘束された状態となっている。これに対し、板ばね４３はドア２の閉じ方向への変位が自由となっている。
【００６３】
なお、ドア側ユニット５は図８〜図１０に示した構造と同一のものが使用される。従って、ドア側ユニット５は閉じ状態のドア２に対して開放方向に付勢した状態となっており、ドア開放の補助を行うことができる。
【００６４】
このような実施の形態において、ドア２の開放補助の後、ドア２を開き作動すると、ピン３５が板ばね４３に当接して移動し、これにより回転部材２５が回転して付勢ばね２６にトルクが蓄えられる。ドア２がさらに開かれると、ピン３５が停止して板ばね４３を押圧するため、板ばね４３が図１９の鎖線で示すように変位して、ピン３５が板ばね４３を円滑に通り過ぎ、ドア２を円滑に開放することができる。一方、ドア２を閉じる方向に対しては、板ばね４３が変位自由であるため、閉じ作動の邪魔となることがなく、ドア２を円滑に閉じることができる。
【００６５】
このような実施の形態では、壁側ユニット４の構造が簡単となるため、小型化、軽量化が可能となり、組み付けも容易となるメリットがある。
【００６６】
本発明は以上の実施の形態に限定されることなく、種々変形が可能である。例えば、上述した実施の形態では、回転部材２５及びロック解除部材２８が当接する受片１９を壁側ユニット４の取付プレート１１に形成しているが、取付プレート１１以外の壁側ユニット４の他の箇所に独立して形成しても良く、壁３に直接に設けても良い。
【００６７】
【発明の効果】
以上説明したように、本発明によれば、壁側ユニット及びドア側ユニットによってドアの開放補助を行うため、ドアに装着されている既存部品の変更や交換が不要となると共に、組み付けを簡単に行うことができる。また、ドアの開閉作動に追随してドアの開放補助状態を繰り返すため、電力を不要とすることができ、配線が不要で、安価に作動させることが可能となる。
【図面の簡単な説明】
【図１】本発明の一実施の形態の全体正面図である。
【図２】全体の側面図である。
【図３】全体の平面図である。
【図４】壁側ユニットを示す図２におけるＡ−Ａ線断面図である。
【図５】図４のＢ−Ｂ線断面図である。
【図６】図４のＣ−Ｃ線断面図である。
【図７】図４のＤ−Ｄ線断面図である。
【図８】ドア側ユニットを示す図１のＥ−Ｅ矢視平面図である。
【図９】ドア側ユニットを示す図１のＦ−Ｆ矢視平面図である。
【図１０】図８のＧ−Ｇ線断面図である。
【図１１】（ａ）はドアの閉じ状態を示す平面図、（ｂ）は側面図である。
【図１２】（ａ）はドア開放初期の状態を示す平面図、（ｂ）は側面図である。
【図１３】（ａ）はドアの開放途中の状態を示す平面図、（ｂ）は側面図である。
【図１４】（ａ）は図１３に続くドアの開放途中の状態を示す平面図、（ｂ）は側面図である。
【図１５】（ａ）はドアの開放状態を示す平面図、（ｂ）は側面図である。
【図１６】（ａ）はドアを閉じる初期状態を示す平面図、（ｂ）は側面図である。
【図１７】（ａ）は図１６に続くドアの閉じ作動を示す平面図、（ｂ）は側面図である。
【図１８】（ａ）はドアの完全閉じ状態を示す平面図、（ｂ）は側面図である。
【図１９】本発明の別の実施の形態の側面図である。
【図２０】図１９の要部の側面図である。
【図２１】図２０のＨ−Ｈ線断面図である。
【符号の説明】
１　ドア開放補助装置
２　ドア
３　壁
４　壁側ユニット
５　ドア側ユニット
１５　回転駒
１６　拘束ばね
１９　受片
２５　回転部材
２６　付勢ばね
２７　ロック機構
２８　ロック解除部材
２９　緩動機構
３０　支持部材
【図１】
2004124651.tif 000003
【図２】
2004124651.tif 000004
【図３】
2004124651.tif 000005
【図４】
2004124651.tif 000006
【図５】
2004124651.tif 000007
【図６】
2004124651.tif 000008
【図７】
2004124651.tif 000009
【図８】
2004124651.tif 000010
【図９】
2004124651.tif 000011
【図１０】
2004124651.tif 000012
【図１１】
2004124651.tif 000013
【図１２】
2004124651.tif 000014
【図１３】
2004124651.tif 000015
【図１４】
2004124651.tif 000016
【図１５】
2004124651.tif 000017
【図１６】
2004124651.tif 000018
【図１７】
2004124651.tif 000019
【図１８】
2004124651.tif 000020
【図１９】
2004124651.tif 000021
【図２０】
2004124651.tif 000022
【図２１】
2004124651.tif 000023